【手続補正書】
【提出日】平成15年9月25日(2003.9.25)
【手続補正１】
【補正対象書類名】明細書
【補正対象項目名】特許請求の範囲
【補正方法】変更
【補正の内容】
【特許請求の範囲】
【請求項１】
入力される画像信号に基づく画像を印刷する印刷手段、および、前記画像を表示する表示手段を有する画像処理装置であって、
前記表示手段における光情報を測定する第一の測定手段と、
前記表示手段の周辺環境における光情報を測定する第二の測定手段と、
前記第一および第二の測定手段の測定結果に基づき、前記印刷手段用の画像信号を前記表示手段用に変換する変換手段とを有することを特徴とする画像処理装置。
【請求項２】
入力される画像信号に基づく画像を印刷する印刷手段、および、前記画像を表示する表示手段を有する画像処理装置の画像処理方法であって、
前記表示手段における光情報を測定する第一のステップと、
前記表示手段の周辺環境における光情報を測定する第二のステップと、
前記第一および第二のステップの測定結果に基づき、前記印刷手段用の画像信号を前記表示手段用に変換する変換ステップを有することを特徴とする画像処理方法。
【請求項３】
前記変換ステップは、前記第一および第二のステップの測定結果が一致するように、前記画像信号を変換することを特徴とする請求項2に記載された画像処理方法。
【請求項４】
前記第一のステップは前記表示手段の白色の色温度を測定し、前記第二のステップは前記表示手段の周囲光の色温度を測定することを特徴とする請求項2または請求項3に記載された画像処理方法。
【請求項５】
さらに、前記表示手段の周囲光の光情報を時系列に測定することで前記表示手段の周辺環境の変化を検出し、前記周辺環境の変化が検出された場合、その旨を報知するステップを有することを特徴とする請求項2から請求項4の何れかに記載された画像処理方法。
【請求項６】
前記表示手段の周囲光の、時系列な光情報と最新の光情報とを比較し、その差が所定値以上であれば前記周辺環境が変化したと判断することを特徴とする請求項5に記載された画像処理方法。
【請求項７】
前記表示手段の周囲光の、時系列な光情報の平均と最新の光情報とを比較し、その差が所定値以上であれば前記周辺環境が変化したと判断することを特徴とする請求項5に記載された画像処理方法。
【請求項８】
環境光を検出する検出手段と、
検出される環境光に応じて色処理条件を設定する設定手段と、
前記色処理条件に応じて入力画像データに色処理を施す色処理手段と、
前記検出される環境光に基づき前記検出手段の動作を評価し、その評価結果をユーザに通知する通知手段とを有することを特徴とする画像処理装置。
【請求項９】
環境光の情報を入力するステップと、
前記環境光の情報に応じて色処理条件を設定して入力画像データに色処理を施す色処理ステップと、
前記環境光の情報に基づき、前記環境光の検出動作を評価し、その評価結果をユーザに通知する通知ステップとを有することを特徴とする画像処理方法。
【請求項１０】
さらに、前記環境光の情報をメモリに格納するステップを有し、
前記通知ステップは、前記メモリに格納された情報と、新たに入力される前記環境光の情報とを比較して前記検出動作を評価することを特徴とする請求項9に記載された画像処理方法。
【請求項１１】
さらに、ユーザのマニュアル指示に基づき評価基準を設定するステップを有し、
前記通知ステップは、前記評価基準に基づき前記検出動作を評価することを特徴とする請求項9または請求項10に記載された画像処理方法。
【請求項１２】
前記色処理ステップは、表示部の表示特性および前記環境光の情報に応じて前記色処理条件を設定して、プレビュー画像を示す画像データを生成することを特徴とする請求項9から請求項11の何れかに記載された画像処理方法。
【請求項１３】
請求項2から請求項7および請求項9から請求項12の何れかに記載された画像処理を画像処理装置に実行させるプログラムが記録されたことを特徴とする記録媒体。
【手続補正２】
【補正対象書類名】明細書
【補正対象項目名】０００１
【補正方法】変更
【補正の内容】
【０００１】
【発明の属する技術分野】
本発明は画像処理装置およびその方法、並びに、記録媒体に関し、例えば、環境光に応じた色処理に関する。


【手続補正３】
【補正対象書類名】明細書
【補正対象項目名】００１２
【補正方法】変更
【補正の内容】
【００１２】
本発明にかかる画像処理装置は、入力される画像信号に基づく画像を印刷する印刷手段、および、前記画像を表示する表示手段を有する画像処理装置であって、前記表示手段における光情報を測定する第一の測定手段と、前記表示手段の周辺環境における光情報を測定する第二の測定手段と、前記第一および第二の測定手段の測定結果に基づき、前記印刷手段用の画像信号を前記表示手段用に変換する変換手段とを有することを特徴とする。


【手続補正４】
【補正対象書類名】明細書
【補正対象項目名】００１３
【補正方法】変更
【補正の内容】
【００１３】
また、環境光を検出する検出手段と、検出される環境光に応じて色処理条件を設定する設定手段と、前記色処理条件に応じて入力画像データに色処理を施す色処理手段と、前記検出される環境光に基づき前記検出手段の動作を評価し、その評価結果をユーザに通知する通知手段とを有することを特徴とする。


【手続補正５】
【補正対象書類名】明細書
【補正対象項目名】００１４
【補正方法】変更
【補正の内容】
【００１４】
本発明にかかる画像処理方法は、入力される画像信号に基づき画像を印刷する印刷手段、および、前記画像を表示する表示手段を有する画像処理装置の画像処理方法であって、前記表示手段における光情報を測定する第一のステップと、前記表示手段の周辺環境における光情報を測定する第二のステップと、前記第一および第二のステップの測定結果に基づき、前記印刷手段用の画像信号を前記表示手段用に変換する変換ステップを有することを特徴とする。


【手続補正６】
【補正対象書類名】明細書
【補正対象項目名】００１５
【補正方法】変更
【補正の内容】
【００１５】
また、環境光の情報を入力するステップと、前記環境光の情報に応じて色処理条件を設定して入力画像データに色処理を施す色処理ステップと、前記環境光の情報に基づき、前記環境光の検出動作を評価し、その評価結果をユーザに通知する通知ステップとを有することを特徴とする。


【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００３８
【補正方法】変更
【補正の内容】
【００３８】
次に、予め測定しておいたイメージスキャナのRGB色分解フィルタの各分光特性を用いて、イメージスキャナの表色系をXYZ表色系に変換する行列を得る。この行列はイメージスキャナで読み込んだ画像信号の三原色の値をそれぞれRs,Gs,Bsとすると、(3)式のように表わすことができる。そして、変換行列Mの逆行列M-1を(4)式のように表わせば、第二マトリクス演算回路104における各要素は(5)式で示されるM-1×Aの行列演算によって得られる。CPU110はステップS203において以上の計算を行い、ステップS204で(5)式により得られた係数を第二マトリクス演算回路104に書き込む。


【手続補正１８】
【補正対象書類名】明細書
【補正対象項目名】００３９
【補正方法】変更
【補正の内容】
【００３９】
1998334218.tif 000001
【手続補正１９】
【補正対象書類名】明細書
【補正対象項目名】００５９
【補正方法】変更
【補正の内容】
【００５９】
ΔE =√{(Ls - Lk)2 + (as - ak)2 + (bs - bk)2}  …(6)